(57)【要約】  【課題】  使用方法が易しく、皮膚の皺のばしやリフトアップ効果が期待できるフェイスマスク。  【解決手段】  シート体により形成されたフェイスマスクであって、顔面を覆うための本体部と、本体部から鰓または顎部分に相当する方向に延長した延長部と、を備える。【選択図】  図１
2018094120.tif 000002
【特許請求の範囲】
【請求項１】
シート体により形成されたフェイスマスクであって、
顔面を覆うための本体部と、
前記本体部から鰓または顎部分に相当する方向に延長した延長部と、
を備えることを特徴とするフェイスマスク。
【請求項２】
請求項１に記載のフェイスマスクであって、
後頭部方向に引くための、引き具を取り付けるための引き具取付部を備える
ことを特徴とするフェイスマスク。
【請求項３】
請求項１に記載のフェイスマスクであって、
前記延長部は、その縁に粘着材が設けられている
ことを特徴とするフェイスマスク。
【請求項４】
請求項１または３に記載のフェイスマスクであって、
前記本体部の周辺に前記延長部を含む、周辺延長部が設けられ、
前記周辺延長部には少なくとも一部に粘着材が設けられている
ことを特徴とするフェイスマスク。
【請求項５】
請求項１〜４のいずれか一項記載のフェイスマスクであって、
前記シート体を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備える、
ことを特徴とするフェイスマスク。
【請求項６】
請求項５に記載のフェイスマスクであって、
前記局所引っ張り部は、
目じり、ほうれい線、額、瞼のいずれか１つ以上の部位を引き伸ばす位置に設けられていることを特徴とするフェイスマスク。
【請求項７】
請求項５または６に記載のフェイスマスクであって、
前記止め部は、
当該止め部の大きさより大きく切り抜かれた、切り抜き領域に配されており、
前記止め部の、前記根本部と反対方向には、前記止め部を引っ張りながら皮膚に密着させて止めた場合に、シート体同士が重なることがないための、シート欠如領域が設けられている
ことを特徴とするフェイスマスク。
【請求項８】
請求項５〜７のいずれか一項に記載のフェイスマスクであって、
前記止め部には、接着材が形成されている
ことを特徴とするフェイスマスク。
【請求項９】
請求項５〜８のいずれか一項に記載のフェイスマスクであって、
前記延出部の皮膚側の面には、パック液を浸透させない部材が設けられている
ことを特徴とするフェイスマスク。
【請求項１０】
請求項５〜９のいずれか一項に記載のフェイスマスクであって、
前記延出部に、弾性の湾曲部材が設けられている
ことを特徴とするフェイスマスク。
【請求項１１】
請求項１〜１０のいずれか一項に記載のフェイスマスクであって、
鼻に相当する位置に、鼻腔を広げるための弾性の平面部材が設けられている
ことを特徴とするフェイスマスク。
【請求項１２】
請求項１〜１１のいずれか一項に記載のフェイスマスクであって、
鼻に相当する位置に、鼻突および鼻突周辺を形成するための鼻形状保持部材が設けられている
ことを特徴とするフェイスマスク。
【発明の詳細な説明】
【技術分野】
【０００１】
本発明は、フェイスマスクに関する。
【背景技術】
【０００２】
化粧水や美容液等の美容効果のある液体を顔面に塗布するために、紙、織布又は不織布等の液体含浸性を有する可塑性のシート状のフェイスマスクが用いられる。
【０００３】
フェイスマスクを顔面に載置することで、フェイスマスクが含浸している化粧水等の液体を顔面の皮膚に接触させることができ、液体の美容効果を効率的に作用させることができるとされている。
【先行技術文献】
【特許文献】
【０００４】
【特許文献１】特開２０１５−１５６９９６号公報
【発明の概要】
【発明が解決しようとする課題】
【０００５】
一方で、皮膚の皺のばしやリフトアップを簡単に行いたいという要望があるものの、従来のフェイスマスクでは、この要望に十分に応えられていない。
【０００６】
そこで本発明は、使用方法が易しく、皮膚の皺のばしやリフトアップ効果が期待できるフェイスマスクを提供することを目的とする。
【課題を解決するための手段】
【０００７】
上記課題を解決するために、本願発明は例えば、
シート体により形成されたフェイスマスクであって、
顔面を覆うための本体部と、  前記本体部から鰓または顎部分に相当する方向に延長した延長部と、を備える。
【０００８】
前記フェイスマスクは、後頭部方向に引くための、引き具を取り付けるための引き具取付部を備えていてもよい。
【０００９】
前記延長部は、その縁に粘着材が設けられていてもよい。
【００１０】
前記本体部の周辺に前記延長部を含む、周辺延長部が設けられ、前記周辺延長部には少なくとも一部に粘着材が設けられていてもよい。
【００１１】
前記シート体を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備えていてもよい。
【００１２】
前記局所引っ張り部は、
目じり、ほうれい線、額、瞼のいずれか１つ以上の部位を引き伸ばす位置に設けられていてもよい。
【００１３】
前記止め部は、
当該止め部の大きさより大きく切り抜かれた、切り抜き領域に配されており、
前記止め部の、前記根本部と反対方向には、前記止め部を引っ張りながら皮膚に密着させて止めた場合に、シート体同士が重なることがないための、シート欠如領域が設けられていてもよい。
【００１４】
前記止め部には、接着材が形成されていてもよい。
【００１５】
前記延出部の皮膚側の面には、パック液を浸透させない部材が設けられていてもよい。
【００１６】
前記延出部に、弾性の湾曲部材が設けられていてもよい。
【００１７】
鼻に相当する位置に、鼻腔を広げるための弾性の平面部材が設けられていてもよい。
【００１８】
鼻に相当する位置に、鼻突および鼻突周辺を形成するための鼻形状保持部材が設けられていてもよい。
【発明の効果】
【００１９】
本発明によれば、使用方法が易しく、皮膚の皺のばしやリフトアップ効果が期待できるフェイスマスクが提供される。
【図面の簡単な説明】
【００２０】
【図１】第一の実施形態に係るフェイスマスク１０Ａの概略図である。
【図２】第一の実施形態に係るフェイスマスク１０Ａの使用状態を示す図である。
【図３】第一の実施形態の変形例に係るフェイスマスク１０Ｂの概略図である
【図４】第二の実施形態に係るフェイスマスク１０Ｃの概略図である。
【図５】第二の実施形態の変形例に係るフェイスマスク１０Ｄの概略図である。
【図６】第三の実施形態に係るフェイスマスク１０Ｅの概略図である。
【図７】局所引っ張り部２５の使用方法を説明するための図である。
【図８】第三の実施形態の変形例に係るフェイスマスク１０Ｆの概略図である。
【図９】第三の実施形態の変形例に係るフェイスマスク１０Ｇの概略図である。
【図１０】第四の実施形態に係るフェイスマスク１０Ｈの概略図である。
【図１１】フェイスマスクＨの鼻形状保持部材３８の概略図である。図１１（Ａ）は、平面図であり、図１１（Ｂ）は、使用状態を横から見た図である。
【発明を実施するための形態】
【００２１】
本発明が適用された例である実施形態について、以下、図に基づいて説明する。
【００２２】
＜第一の実施形態＞
図１は、第一の実施形態に係るフェイスマスク１０Ａの概略図である。図２は、第一の実施形態に係るフェイスマスク１０Ａの使用状態を示す図である。
【００２３】
フェイスマスク１０Ａは、紙、織布又は不織布等の可撓性及び含水性を有するシート体を、人体の顔面の全面を被覆できるように、所定の形状及び大きさに裁断して形成されている。使用時は、シート体に化粧液や美容液などのパック液を吸い込ませる。そして、吸い込ませたシート体と皮膚との相互作用により皮膚に密着させ貼り付けることができる。
【００２４】
または、フェイスマスク１０Ａのシート体には、粘着性を持たせた化粧液や美容液が塗布してあり、剥離紙が貼り合わされていてもよい。人体の顔面の全面を被覆できるように、所定の形状及び大きさに裁断されている。使用時は、剥離紙を剥がし、皮膚に貼り付けるようすることができる。
【００２５】
フェイスマスク１０Ａには、本体部１１に、目部１２、鼻部１３、口部１４、延長部１６，１７、スリット１５、紐吊部１８が形成されている。
【００２６】
本体部１１は、顔全体を覆うための、略円形状のシートである。
【００２７】
一対の目部１２は、顔面における左右一対の目に対応し、各々が横長の楕円形状の切り抜き孔で構成されている。なお、一対の目部１２は、完全に切り抜いて形成するのではなく、一部を連結したままの山状の切込み（例えば、Ｕ字を逆さにした形状の切り込み）として、使用時にめくることで、目に相当する部分に貫通孔が出来上がる構造としてもよい。
【００２８】
鼻部１３は、顔面の鼻翼及び鼻孔に対応し、略Ｕ字状の切込線で構成されている。
【００２９】
口部１４は、顔面の口に対応し、横方向に長い楕円形状の切り抜き孔で構成されている。
【００３０】
スリット１５は、本体部１１の縁から内部方向に向かった複数の切込みである。スリット１５は、図２に示すように、フェイスマスク１０Ａが使用者の顔の形状に沿わせて密着しやすいように設けられている。
【００３１】
紐吊部１８は、本体部１１を顔の上方に吊り上げるために使用される部分であり、紐や帯などの引き具を取り付けるための引き具取付部である。紐吊部１８は、例えば、本体部１１の上方（額（ひたい）に相当する部分）の縁に設けられた２つの孔である。図２に示すように、紐吊部１８の孔に紐１８１を通して、後頭部方向に引っ張ることで、本体部１１を顔の上方に引っ張ることができる。そして、本体部１１の額に相当する部分の皮膚を上方に引き伸ばすことができる。なお、紐１８１は、使用者の後頭部にヘアバンドなどで取り付けてもよいし、髪を束ねたヘアゴムに取り付けるようにしてもよい。
【００３２】
延長部１６、１７は、鰓８（えら）付け用の延長部１６と、顎（あご）付け用の延長部１７とを有する。
【００３３】
鰓付け用の延長部１６は、本体部１１の頬に相当する部分から延長し、外側方向に突出して伸びたタブ状の部分である。図２に示すように、顔の鰓に張り付くことができるので、本頬付近の皮膚を、鰓方向に引っ張り、引き伸ばすことができる。顔の部分や全体のリフトアップを可能とする。
【００３４】
顎付け用の延長部１７は、本体部１１の顎に相当する部分から延長し、外側方向に突出して伸びたタブ状の部分である。図２に示すように、顎の裏に張り付くことができるので、顎付近の皮膚を、顎の裏方向に引っ張り、引き伸ばすことができる。
【００３５】
また、延長部１６、１７が、鰓や顎の裏に貼りつくことで、紐吊部１８により本体部１１が頭の上方向に引っ張られた場合でも、本体部１１が顔面から外れたり、ずれたりすることを防止することができる。
【００３６】
以上、第一の実施形態のフェイスマスク１０Ａについて説明した。このフェイスマスク１０Ａによれば、上方へ引っ張る紐吊部１８と、鰓と顎裏に密着し、耳下方向および顎方向に引っ張ることが可能な延長部１６，１７により、顔面の皮膚の引き伸ばし力を向上することができる。
【００３７】
なお、延長部１６，１７は、鰓用と顎用の両方を設けてもよいし、いずれか一方であってもよい。
【００３８】
また、紐吊部１８は、必ずしも備えていなくても良い。
【００３９】
また、図３のフェイスマスク１０Ｂに示すように、鰓や顎方向に紐吊部１８ｎを設けても良く、紐吊部１８ｎの紐は、顎や耳にかけて使用するようにしても良い。また、後頭部等に回して掛けても良い。より顔全体の頭部方向へのリフトアップが期待できる。
【００４０】
また、紐の位置は、上記で示した位置でなくとも良い。紐を帯としても良く、その数に制限はなく、増減しても良い。
【００４１】
＜第二の実施形態＞
図４は、第二の実施形態に係るフェイスマスク１０Ｃの概略図である。上記実施形態と同様の部分は説明を省略し、異なる部分について主に説明する。
【００４２】
本実施形態のフェイスマスク１０Ｃは、部分的な皮膚の引っ張り（皺の引き伸ばし、リフトアップ等）のための局所引っ張り部２１を備える。
【００４３】
局所引っ張り部２１は、本体部１１のシートに設けられたＵ字状の切込みにより実現されている。
【００４４】
局所引っ張り２１は、シートから切り離されずに連結している根本部Ｒと、根本部Ｒから突出した形状の延出部Ｅと、延出部の末端の止め部Ｔとを有する。
【００４５】
ほうれい線を引き伸ばすための局所引っ張り部２１は、口部１４の左右斜め上に設けられており、口角のやや上に根本部Ｒが位置し、耳の方向へ延出部Ｅが延び、止め部Ｔに至るように、本体部１１のシートに切込みが入れられている。
【００４６】
目じりの皺を引き伸ばすため（あるいは、上まぶたのリフトアップのため）の局所引っ張り部２１は、左右の目部１２の斜め上に設けられており、目じりのやや上に根本部Ｒが位置し、斜め上方向へ延出部Ｅが延び、止め部Ｔに至るように、本体部１１のシートに切込みが入れられている。
【００４７】
額（ひたい）の皺を引き伸ばすため（あるいは、眉間付近のリフトアップのため）の局所引っ張り部２１は、額（ひたい）の位置に設けられており、眉間の根本部Ｒが位置し、頭頂部方向へ延出部Ｅが延び、止め部Ｔに至るように、本体部１１のシートに切込みが入れられている。額（ひたい）の皺は、他の小皺部分と比較して、大きいので、額（ひたい）の局所引っ張り部２１は、大き目に形成されている。
【００４８】
使用者は、本体部１１を顔面に被せたのち、各局所引っ張り部２１について、止め部Ｔをつまんで根本部Ｒと反対方向に引っ張って、皮膚の皺を延ばした後、止め部Ｔを貼りつける。止め部Ｔは、濡れたシートの一部であるので、ある程度の貼り付き力を持つため、皮膚または付近のシートに重ねて貼りつけることができる。
【００４９】
以上、第二の実施形態について説明した。本実施形態によれば、局所的な皮膚の引っ張り、局所的な皺の引き伸ばしを容易に行うことが可能となる。気になる部位のみを強く引っ張ったり、引き伸ばしたりすることが可能となる。
【００５０】
＜第二の実施形態の変形例＞
図５は、第二の実施形態の変形例に係るフェイスマスク１０Ｄの概略図である。
【００５１】
フェイスマスク１０Ｄは、瞼を引き上げるための局所引っ張り部２４を備えている。すなわち、本体部１１の目部１２の上の眉毛の位置付近に、上瞼の形状に沿って、逆Ｕ字状の切込みが形成されている。切り込みは、図５に示すように、三日月状に切り抜かれていても良い。そうすれば、止め部Ｔを上方向に引っ張ってから貼り付けた場合に、シートに重ならずに皮膚に貼り付けることができ、貼り付き力の向上が期待できる。
【００５２】
また、鰓用の延長部１６、顎用の延長部１７には、その縁に、粘着テープ（粘着材）が形成されており、皮膚に対して、強く接着できるようになっている。フェイスマスク１０Ｄのシート材は、吸水性があり、皮膚にある程度密着する作用があるが、粘着テープ３１により、皮膚から外れることをより確実に防止することができる。これにより、皮膚を強く引っ張った状態で長い時間保持することが可能となる。
【００５３】
また、本体部１１の上端の縁に、紐吊部１８の代わりに、外側に延長した額部用の延長部１８ｔを設け、粘着テープ３１を設けている。これにより、額（ひたい）部分に張り付いたシート材が外れるのを防止することができる。
【００５４】
粘着テープの粘着材は、皮膚に接着できるものであれば、特に制限はない。絆創膏用の粘着テープの材料（例えば、アクリル系粘着剤、天然ゴム系粘着剤、合成ゴム系粘着剤）を用いることができる。
【００５５】
粘着テープには、あらかじめ剥離紙を貼っておいても良いのは、言うまでもない。
【００５６】
＜第三の実施形態＞
図６は、第三の実施形態に係るフェイスマスク１０Ｅの概略図である。上記実施形態と同様の部分は説明を省略し、異なる部分について主に説明する。
【００５７】
本体部１１の外周縁全体に周辺延長部１６ａを設け、周辺延長部１６ａに、粘着部（粘着テープ）３２を設けている。
【００５８】
また、額用の局所引っ張り２４を、２本形成している。
【００５９】
ほうれい線用の局所引っ張り部２５は、本体部１１に連結している根本部Ｒと、根本部Ｒから耳の方向に延びた延出部Ｅと、延長部Ｅの末端の円状の止め部Ｔとを備えている。円状の止め部Ｔは、延長部Ｅよりも幅広になっている。止め部Ｔは、止め部Ｔの大きさより大きく切り抜かれた、切り抜き領域Ｓに配されている。止め部Ｔの、根本部Ｒと反対方向には、止め部Ｔを引っ張りながら皮膚に密着させて止めた場合に、シート部材同士が重なることがないように、シート欠如領域Ｓが設けられている。
【００６０】
この構造により、図７に示すように、使用者は、止め部Ｔをつまんで、根本部Ｒ付近の皮膚を引っ張りながら、止め部Ｔを皮膚に密着させて止めることができる。止め部Ｓの面積を大きくすることで、皮膚との貼り付き力を向上させ、外れたり、ずれたりすることを防止することができる。円状の止め部Ｔの直径は、例えば、０．５〜２センチ、好ましくは、１〜１．５センチである。止め部Ｔは円状でなくても良く、その面積は、例えば、０．５〜５平方センチメートル、好ましくは、０．７〜３平方センチメートルである。
【００６１】
シート欠如領域Ｓの面積は、止め部Ｔの面積の１．２〜３倍、好ましくは、１．５〜２５倍、より好ましくは、１．５〜２倍である。
【００６２】
図８は、第三の実施形態の他の変形例に係るフェイスマスク１０Ｆの概略図である。
【００６３】
図８に示すように、止め部Ｔの皮膚側の面に粘着テープ３４、３３が形成されていてもよい。これにより、皮膚が戻ろうとする力に対抗して止め部Ｔを皮膚に接着し続けることがより確実となる。
【００６４】
また、図９のフェイスマスク１０Ｇに示すように、局所引っ張り部２５の延出部Ｅの  皮膚側の面に、パック液が皮膚と密着しないための構造Ｆを備えていてもよい。
【００６５】
例えば、本体部１１は吸水性シートで形成するものの、延出部Ｅの皮膚側の面は、パック液が浸透しない非吸水性（撥水性）の材料でコーティングする。または、皮膚に接触しないように浮き上がらせるため、湾曲するように、湾曲部材（アーチ部材）を取り付けるなどする。湾曲部材は、Ｖ字形状、Ｗ字形状であってもよい。
【００６６】
こうすることで、皮膚を引っ張った際に延出部Ｅの下に形成された皮膚の皺に対して、上から力が加わることを抑制し、延出部Ｅの下の皮膚に皺の跡に残ってしまうことを防止することができる。
【００６７】
また、延出部Ｅは、ゴムなどの弾性の部材とし、引き伸ばし時に弾力性を持たせるようにしてもよい。なお、アーチ状、Ｖ字形状、Ｗ字形状などの、湾曲した弾性の部材を設けてもよい。
【００６８】
また、鼻部１３に、鼻腔を広げる部材を取り付けてもよい。広がる方向に付勢された弾性の板材３５を、鼻翼のやや上で、鼻背を跨るように、鼻部１３のシート材に取り付ける。板材３５の端部は、粘着剤を設けて、皮膚にしっかりと固定でききるようにするのが好ましい。鼻腔を広げる部材により、本体部１１で顔全体を覆ったとき感じる、息苦しさを緩和することができる。また、図１０及び図１１に示すフェイスマスク１０Ｈのように、鼻部１３に、鼻形状保持部材３８を取り付けても良い。鼻部１３は、鼻柱を含むように下に突出した形状となるように、切り込まれている。鼻形状保持部材３８は、図１１に示すように、Ｔ字形状の弾性部材であり、山折りと谷折りの折り目（折り曲げ部）が形成されている。鼻形状保持部材３８は、鼻翼や鼻突（鼻尖）を両側から押さえたり、鼻橋基部付近を持ち上げたりすることで、鼻突を持ち上げる矯正部材である。鼻翼の両端と、鼻橋基部とで、皮膚に接着固定できるように、谷折りされ、粘着テープ３９が設けられている。鼻柱に相当部分に、立ち上げ基礎３８ｔを形成し、粘着テープ３９で固定することで、鼻突を持ち上げたり、挟み混むことで鼻突を挟み混み高く矯正することができる。
【００６９】
なお、鼻突先端にも粘着テープを用いることで、上方向に持ち上げることができるようにしても良い。
【００７０】
また、鼻形状保持部材は、鼻突（鼻突周辺を含む）を形成する鼻の形を形作るもので有り、その形状、構造、素材には制限はない。理想とする鼻の形を前もって形成した部材を設けても、取り付けても良い。
【００７１】
以上、本願発明の実施形態の例について説明した。本願発明は、上記実施形態に限定されない。また、各実施形態及び変形例の各構成要素は、自由に組み合わせることが可能である。
【００７２】
局所引っ張り部の位置や数に制限はなく、皺のできやすい位置、リフトアップの願望が多い位置に設けることができる。
【符号の説明】
【００７３】
１０Ａ，１０Ｂ，１０Ｃ，１０Ｄ，１０Ｅ，１０Ｆ，１０Ｇフェイスマスク
１１            本体部
１２            目部
１３            鼻部
１４            口部
１５            スリット
１６            延長部
１６ａ  周辺延長部
１６，１７        延長部
１８            紐吊部
２１，２４，２５      局所引っ張り部
３１，３４        粘着テープ
３５            板材
３８            鼻形状保持部材
１８１            紐
Ｅ            延長部
Ｒ            根本部
Ｓ            シート欠如領域
Ｔ            止め部
【図１】
2018094120.tif 000003
【図２】
2018094120.tif 000004
【図３】
2018094120.tif 000005
【図４】
2018094120.tif 000006
【図５】
2018094120.tif 000007
【図６】
2018094120.tif 000008
【図７】
2018094120.tif 000009
【図８】
2018094120.tif 000010
【図９】
2018094120.tif 000011
【図１０】
2018094120.tif 000012
【図１１】
2018094120.tif 000013
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
シート体により形成されたフェイスマスクであって、
顔面を覆うための本体部と、
前記本体部から鰓または顎部分に相当する方向に延長した延長部と、
額から後頭部方向に引くための、引き具を取り付けるための引き具取付部
とを備えることを特徴とするフェイスマスク。
【請求項２】
請求項１に記載のフェイスマスクであって、
前記延長部は、その縁に粘着材が設けられている
ことを特徴とするフェイスマスク。
【請求項３】
シート体により形成されたフェイスマスクであって、
顔面を覆うための本体部と、
前記本体部から鰓または顎部分に相当する方向に延長した延長部を備え、
前記延長部は、その縁に粘着材が設けられている
ことを特徴とするフェイスマスク。
【請求項４】
請求項１〜３のいずれか一項に記載のフェイスマスクであって、
前記本体部の周辺に前記延長部を含む、周辺延長部が設けられ、
前記周辺延長部には少なくとも一部に粘着材が設けられている
ことを特徴とするフェイスマスク。
【請求項５】
請求項１〜４のいずれか一項記載のフェイスマスクであって、
前記シート体を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備える、
ことを特徴とするフェイスマスク。
【請求項６】
シート体により形成されたフェイスマスクであって、
顔面を覆うための本体部と、
前記本体部から鰓または顎部分に相当する方向に延長した延長部と、
前記シート体を切り込むことで形成された局所引っ張り部を備え、
前記局所引っ張り部は、
前記本体部に接続した根本部と、
当該根本部から延出した延出部と、
当該延出部の末端であって使用者がつまむ部分となる止め部と、を備える、
ことを特徴とするフェイスマスク。
【請求項７】
請求項５または６に記載のフェイスマスクであって、
前記局所引っ張り部は、
目じり、ほうれい線、額、瞼のいずれか１つ以上の部位を引き伸ばす位置に設けられていることを特徴とするフェイスマスク。
【請求項８】
請求項５〜７のいずれか一項に記載のフェイスマスクであって、
前記止め部は、
当該止め部の大きさより大きく切り抜かれた、切り抜き領域に配されており、
前記止め部の、前記根本部と反対方向には、前記止め部を引っ張りながら皮膚に密着させて止めた場合に、シート体同士が重なることがないための、シート欠如領域が設けられている
ことを特徴とするフェイスマスク。
【請求項９】
請求項５〜８のいずれか一項に記載のフェイスマスクであって、
前記止め部には、接着材が形成されている
ことを特徴とするフェイスマスク。
【請求項１０】
請求項５〜９のいずれか一項に記載のフェイスマスクであって、
前記延出部の皮膚側の面には、パック液を浸透させない部材が設けられている
ことを特徴とするフェイスマスク。
【請求項１１】
請求項５〜１０のいずれか一項に記載のフェイスマスクであって、
前記延出部に、弾性の湾曲部材が設けられている
ことを特徴とするフェイスマスク。
【請求項１２】
請求項１〜１１のいずれか一項に記載のフェイスマスクであって、
鼻に相当する位置に、鼻腔を広げるための弾性の平面部材が設けられている
ことを特徴とするフェイスマスク。
【請求項１３】
シート体により形成されたフェイスマスクであって、
顔面を覆うための本体部と、
前記本体部から鰓または顎部分に相当する方向に延長した延長部と、
鼻に相当する位置に、鼻腔を広げるための弾性の平面部材が設けられている
ことを特徴とするフェイスマスク。
【請求項１４】
請求項１〜１３のいずれか一項に記載のフェイスマスクであって、
鼻に相当する位置に、鼻突および鼻突周辺を形成するための鼻形状保持部材が設けられている
ことを特徴とするフェイスマスク。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
シート体により形成されたフェイスマスクであって、
顔面を覆うための本体部と、
前記本体部から鰓または顎部分に相当する方向に延長した延長部と、
額に相当する部分に設けられ、額から頭頂部を通って後頭部方向に引くための、引き具を取り付けるための引き具取付部
とを備えることを特徴とするフェイスマスク。